(57)【特許請求の範囲】
【請求項１】
釣糸に対して直接的または間接的に固定される側の端部である頭部側端部から、前記頭部側端部とは反対側の端部である尾部側端部に向かって延在する魚形のルアーであって、
前記ルアーが釣糸からの引っ張り力を受けない状態で水中に存在する場合における、前記頭部側端部から前記尾部側端部にかけての前記ルアーの水平方向の一方の端部を結ぶ第１の線と、前記ルアーが釣糸からの引っ張り力を受けない状態で水中に存在する場合における、前記頭部側端部から前記尾部側端部にかけての前記ルアーの水平方向の他方の端部を結ぶ第２の線とを含む仮想面を想定した場合に、
前記仮想面の第１の側に存在し、前記頭部側端部から前記尾部側端部にわたって前記第１の側に凸の外形を有する第１の部分と、
前記仮想面の第２の側に存在し、前記頭部側端部から前記尾部側端部にわたって前記第２の側に凸の外形を有する第２の部分とを備え、
前記第１の部分の平均比重は、前記第２の部分の平均比重よりも常に小さく、
前記第１の部分は、
表面に溝を含み、金属よりなる第１の本体と、
前記第１の本体の溝内に設けられた第１の浮力体と、
少なくとも前記第１の本体を被覆する第１の被覆層とを含み、
前記第１の浮力体は、前記第１の本体の平均比重よりも小さい平均比重を有し、
前記第１の浮力体は２つであり、
２つの前記浮力体の各々は、前記第１の本体を前記第１の側から見た場合に前記頭部側端部と前記尾部側端部とを結ぶ直線を挟む位置に設けられる、ルアー。
【請求項２】
釣糸に対して直接的または間接的に固定される側の端部である頭部側端部から、前記頭部側端部とは反対側の端部である尾部側端部に向かって延在する魚形のルアーであって、
前記ルアーが釣糸からの引っ張り力を受けない状態で水中に存在する場合における、前記頭部側端部から前記尾部側端部にかけての前記ルアーの水平方向の一方の端部を結ぶ第１の線と、前記ルアーが釣糸からの引っ張り力を受けない状態で水中に存在する場合における、前記頭部側端部から前記尾部側端部にかけての前記ルアーの水平方向の他方の端部を結ぶ第２の線とを含む仮想面を想定した場合に、
前記仮想面の第１の側に存在し、前記頭部側端部から前記尾部側端部にわたって前記第１の側に凸の外形を有する第１の部分と、
前記仮想面の第２の側に存在し、前記頭部側端部から前記尾部側端部にわたって前記第２の側に凸の外形を有する第２の部分とを備え、
前記第１の部分の平均比重は、前記第２の部分の平均比重よりも常に小さく、
前記第１の部分は、
表面に溝を含み、金属よりなる第１の本体と、
前記第１の本体の溝内に設けられた第１の浮力体と、
少なくとも前記第１の本体を被覆する第１の被覆層とを含み、
前記第１の浮力体は、前記第１の本体の平均比重よりも小さい平均比重を有し、
前記第２の部分は、
表面に溝を含み、金属よりなる第２の本体と、
前記第２の本体の溝内に設けられた第２の浮力体と、
少なくとも前記第２の本体を被覆する第２の被覆層とを含み、
前記第２の浮力体は、前記第１の浮力体と同一の材料よりなり、前記第１の浮力体と一体化しており、
前記第２の浮力体の体積は、前記第１の浮力体の体積よりも小さい、ルアー。
【請求項３】
前記第１の浮力体は固体よりなる、請求項１または２に記載のルアー。
【請求項４】
前記第１および第２の浮力体の各々は光透過性の材料よりなり、外部に露出する、請求項３に記載のルアー。
【請求項５】
前記第１の浮力体は気体よりなる、請求項１または２に記載のルアー。
【請求項６】
前記第２の部分は、
金属よりなる第２の本体と、
前記第２の本体に固定された錘と、
少なくとも前記第２の本体を被覆する第２の被覆層とを含み、
前記錘は、前記第２の本体の平均比重よりも大きい平均比重を有する、請求項１〜５のいずれかに記載のルアー。
【請求項７】
前記第１の部分および前記第２の部分のうち少なくとも一方は、金属よりなる軸部分を含み、
前記軸部分は、前記頭部側端部を構成する頭部側環状部と、前記尾部側端部を構成する尾部側環状部と、前記頭部側環状部と前記尾部側環状部とを接続する接続部分とを含む、請求項１〜６のいずれかに記載のルアー。
【請求項８】
前記ルアーの水平方向の前記一方側から見た場合に前記第１の線は曲線である、請求項１〜７のいずれかに記載のルアー。
【発明の詳細な説明】
【技術分野】
【０００１】
本発明は、ルアーに関する。より特定的には、本発明は、釣糸に対して直接的または間接的に固定される側の端部である頭部側端部から、頭部側端部とは反対側の端部である尾部側端部に向かって延在する魚形のルアーに関する。
【背景技術】
【０００２】
魚釣りを行う際には、ルアーが使用されることも多い。ルアーは、本来の餌の代わりに用いる、魚や餌に似せた物体である。ルアーとしては、ターゲット（対象魚）の種類などに応じて、様々な形状や素材のものが存在している。ルアーには、大きく分けて、金属、プラスチック、または木材などの比較的硬い材料よりなるハードルアーと、合成樹脂などの比較的柔らかい材料よりなるソフトルアーとがある。ハードルアーの一種であるメタルジグは、一般的に、金属よりなる魚形の本体と、本体を被覆する被膜とを備えている。被膜は、魚体が光を反射する状態を模すためのホログラムシールや、魚を模した色にするためのカラーリングや、防水や保護のためのウレタンコートなどを含んでいる。メタルジグは、深いタナ（遊泳層）を有する魚がターゲットである場合に使用されることが多い。
【０００３】
海中の幅広い層を遊泳するマグロ、カツオ、ヒラマサなどは青魚である。タイ、ヒラメなどは、海底からおよそ１０ｍまでをタナとする底魚である。また、カサゴなどは、海底の岩礁付近などの一定の範囲を縄張りとして生息する根魚である。青魚、底魚、または根魚などをターゲットとする場合のジギング（ルアーを用いた魚釣り）の方法の一つとして、ルアーを海底から海面に向かって上昇させた後、海底に下降させる方法がある（たとえば「１ピッチ１ジャーク」など）。この方法は、主にルアーが海底から上昇している間に、海底付近や縄張りに居るターゲットに対してルアーをアピールし、ルアーが下降している間にターゲットにルアーを食いつかせることを狙うものである。
【０００４】
従来のルアーは、たとえば下記特許文献１などに開示されている。下記特許文献１には、主材料よりも比重の軽い素材を背面部に設け、底面部にキールを設けたメタルジグが開示されている。キールは、底面側に緩やかな山状に湾曲した先端部から中央部にかけての部分と、背面側に緩やかな山状に湾曲した中央部から後端にかけての部分とを含んでおり、側面視でＳ字の形状を有している。
【先行技術文献】
【特許文献】
【０００５】
【特許文献１】登録実用新案公報第３１８８８１９号
【発明の概要】
【発明が解決しようとする課題】
【０００６】
しかしながら、メタルジグを始めとする多くのルアーは、海水の比重と比較して大きな比重を有しているので、ルアーを下降させる際に、ルアーが略鉛直方向に下降しやすかった。一般的に魚が鉛直方向に下降することは希であるため、このようなルアーの動きはターゲットから見れば不自然であり、ターゲットのルアーへの食いつきを悪くする要因となっていた。
【０００７】
特許文献１のルアーは、側面視でＳ字の形状（凹部のある形状）を有しているため、ルアーが受ける水の抵抗は大きかった。特に水深が大きい場所（たとえば８０ｍ以上の場所）の海底では、この種の形状のルアーが受ける水の抵抗は非常に大きくなり、ルアーの使用者は海中でルアーを自由に操作することが困難となっていた。
【０００８】
本発明は、上記課題を解決するためのものであり、その目的は、操作が容易であり、魚の食いつきを向上することのできるルアーを提供することである。
【課題を解決するための手段】
【０００９】
本発明の一の局面に従うルアーは、釣糸に対して直接的または間接的に固定される側の端部である頭部側端部から、頭部側端部とは反対側の端部である尾部側端部に向かって延在する魚形のルアーであって、ルアーが釣糸からの引っ張り力を受けない状態で水中に存在する場合における、頭部側端部から尾部側端部にかけてのルアーの水平方向の一方の端部を結ぶ第１の線と、ルアーが釣糸からの引っ張り力を受けない状態で水中に存在する場合における、頭部側端部から尾部側端部にかけてのルアーの水平方向の他方の端部を結ぶ第２の線とを含む仮想面を想定した場合に、仮想面の第１の側に存在し、頭部側端部から尾部側端部にわたって第１の側に凸の外形を有する第１の部分と、仮想面の第２の側に存在し、頭部側端部から尾部側端部にわたって第２の側に凸の外形を有する第２の部分とを備え、第１の部分の平均比重は、第２の部分の平均比重よりも常に小さく、第１の部分は、表面に溝を含み、金属よりなる第１の本体と、第１の本体の溝内に設けられた第１の浮力体と、少なくとも第１の本体を被覆する第１の被覆層とを含み、第１の浮力体は、第１の本体の平均比重よりも小さい平均比重を有し、第１の浮力体は２つであり、２つの浮力体の各々は、第１の本体を第１の側から見た場合に頭部側端部と尾部側端部とを結ぶ直線を挟む位置に設けられる。
本発明の他の局面に従うルアーは、釣糸に対して直接的または間接的に固定される側の端部である頭部側端部から、頭部側端部とは反対側の端部である尾部側端部に向かって延在する魚形のルアーであって、ルアーが釣糸からの引っ張り力を受けない状態で水中に存在する場合における、頭部側端部から尾部側端部にかけてのルアーの水平方向の一方の端部を結ぶ第１の線と、ルアーが釣糸からの引っ張り力を受けない状態で水中に存在する場合における、頭部側端部から尾部側端部にかけてのルアーの水平方向の他方の端部を結ぶ第２の線とを含む仮想面を想定した場合に、仮想面の第１の側に存在し、頭部側端部から尾部側端部にわたって第１の側に凸の外形を有する第１の部分と、仮想面の第２の側に存在し、頭部側端部から尾部側端部にわたって第２の側に凸の外形を有する第２の部分とを備え、第１の部分の平均比重は、第２の部分の平均比重よりも常に小さく、第１の部分は、表面に溝を含み、金属よりなる第１の本体と、第１の本体の溝内に設けられた第１の浮力体と、少なくとも第１の本体を被覆する第１の被覆層とを含み、第１の浮力体は、第１の本体の平均比重よりも小さい平均比重を有し、第２の部分は、表面に溝を含み、金属よりなる第２の本体と、第２の本体の溝内に設けられた第２の浮力体と、少なくとも第２の本体を被覆する第２の被覆層とを含み、第２の浮力体は、第１の浮力体と同一の材料よりなり、第１の浮力体と一体化しており、第２の浮力体の体積は、第１の浮力体の体積よりも小さい。
【００１１】
上記ルアーにおいて好ましくは、第１の浮力体は固体よりなる。
上記ルアーにおいて好ましくは、第１および第２の浮力体の各々は光透過性の材料よりなり、外部に露出する。
【００１２】
上記ルアーにおいて好ましくは、第１の浮力体は気体よりなる。
【００１６】
上記ルアーにおいて好ましくは、第２の部分は、金属よりなる第２の本体と、第２の本体に固定された錘と、少なくとも第２の本体を被覆する第２の被覆層とを含み、錘は、第２の本体の平均比重よりも大きい平均比重を有する。
【００１７】
上記ルアーにおいて好ましくは、第１の部分および第２の部分のうち少なくとも一方は、金属よりなる軸部分を含み、軸部分は、頭部側端部を構成する頭部側環状部と、尾部側端部を構成する尾部側環状部と、頭部側環状部と尾部側環状部とを接続する接続部分とを含む。
【００１８】
上記ルアーにおいて好ましくは、ルアーの水平方向の一方側から見た場合に第１の線は曲線である。
【発明の効果】
【００２０】
本発明によれば、操作が容易であり、魚の食いつきを向上することのできるルアーを提供することができる。
【図面の簡単な説明】
【００２１】
【図１】本発明の第１の実施の形態におけるルアー１００の構成を示す上面図である。
【図２】本発明の第１の実施の形態におけるルアー１００の構成を示す正面図である。
【図３】本発明の第１の実施の形態におけるルアー１００の構成を示す左側面図である。
【図４】図１のＩＶ−ＩＶ線に沿った断面図である。
【図５】本発明の第１の実施の形態のルアー１００において、本体３１ａを仮想面ＳＦの上側から見た場合の構成を示す上面図である。
【図６】図１のＶＩ−ＶＩ線に沿った断面図である。
【図７】図６のＣＫ１部およびＣＫ２部の拡大図である。
【図８】ルアー１００の使用者が１ピッチ１ジャーク（ジャーク＆ストップ）を行う場合のルアー１００の動きを模式的に示す図である。
【図９】本発明の第２の実施の形態におけるルアー１００の一の構成を示す左側面図である。
【図１０】本発明の第２の実施の形態におけるルアー１００の他の構成を示す左側面図である。
【図１１】本発明の第３の実施の形態におけるルアー１００の構成を示す断面図である。
【図１２】本発明の第４の実施の形態のルアー１００において、本体３１ａを仮想面ＳＦの上側から見た場合の構成を示す上面図である。
【図１３】本発明の第５の実施の形態におけるルアー１００の構成を示す上面図である。
【図１４】図１３のＸＩＶ−ＸＩＶ線に沿った断面図である。
【図１５】本発明の第６の実施の形態におけるルアー１００の構成を示す断面図である。
【図１６】本発明の第７の実施の形態におけるルアー１００の構成を示す右側面図である。
【図１７】本発明の第７の実施の形態のルアー１００において、被覆層３２ａおよび３２ｂを除去した第１の部分１ａおよび第２の部分１ｂの構成を示す右側面図である。
【図１８】図１６におけるＸＶＩＩＩ−ＸＶＩＩＩ線に沿った断面図である。
【発明を実施するための形態】
【００２２】
以下、本発明の実施の形態について、図面に基づいて説明する。なお、本願の図面における矢印Ｕは、海中から海面へ向かう鉛直方向を示している。
【００２３】
［第１の実施の形態］
【００２４】
図１〜図３は、本発明の第１の実施の形態におけるルアー１００の構成を示す図である。図１は上面図であり、図２は正面図であり、図３は左側面図である。
【００２５】
図１〜図３を参照して、本実施の形態におけるルアー１００は、魚形（柳葉形）のメタルジグであり、扁平な形状を有している。ルアー１００は、釣糸に対して直接的または間接的に固定される側の端部である頭部側端部ＥＤ１と、頭部側端部ＥＤ１とは反対側の端部である尾部側端部ＥＤ２とを備えている。ルアー１００は、頭部側端部ＥＤ１から尾部側端部ＥＤ２に向かって延在している。ルアー１００は、釣糸からの引っ張り力を受けない状態で水中に存在する場合に、背部が水平方向左側を向き、腹部が水平方向右側を向く。
【００２６】
本明細書では、仮想面ＳＦを用いてルアー１００の構成を説明する。仮想面ＳＦは、線ＬＮ１（第１の線の一例）と線ＬＮ２（第２の線の一例）とを含む面である。線ＬＮ１は、ルアー１００が釣糸からの引っ張り力を受けない状態で水中に存在する場合における、頭部側端部ＥＤ１から尾部側端部ＥＤ２にかけてのルアー１００の水平方向の左端部を結ぶ線である。線ＬＮ２は、ルアー１００が釣糸からの引っ張り力を受けない状態で水中に存在する場合における、頭部側端部ＥＤ１から尾部側端部ＥＤ２にかけてのルアー１００の水平方向の右端部を結ぶ線ＬＮ２である。
【００２７】
特に断りの無い限り、線ＬＮ１は、頭部側端部ＥＤ１から尾部側端部ＥＤ２にかけてのルアー１００の背部を結ぶ線に相当する。線ＬＮ２は、頭部側端部ＥＤ１から尾部側端部ＥＤ２にかけてのルアー１００の腹部を結ぶ線に相当する。
【００２８】
ルアー１００の左端部側から見た場合に線ＬＮ１は直線である。ルアー１００の右端部側から見た場合に線ＬＮ２は直線である。
【００２９】
ルアー１００の頭部側端部ＥＤ１付近には、環状部１１が設けられている。環状部１１には、スプリットリング２０１が取り付けられている。ルアー１００は、釣糸２０２に対してスプリットリング２０１を介して固定される。ルアー１００の尾部側端部ＥＤ２付近には、環状部１２が設けられている。環状部１２には針２０３が取り付けられている。スプリットリング２０１の先に打ち抜きリングまたは溶接リングを取り付け、打ち抜きリングまたは溶接リングに釣り糸がくくりつけられてもよい。
【００３０】
ルアー１００は、第１の部分１ａと、第２の部分１ｂとを備えている。第１の部分１ａは、ルアー１００の左側線を含む部分であり、仮想面ＳＦよりも上側に存在している。第１の部分１ａは、頭部側端部ＥＤ１から尾部側端部ＥＤ２にわたって上側に凸の外形９１ａを有している。第１の部分１ａの外表面には、目を模したもの７１ａや蓄光部７２ａが現れている。
【００３１】
第２の部分１ｂは、ルアー１００の右側線を含む部分であり、仮想面ＳＦよりも下側に存在している。第２の部分１ｂは、頭部側端部ＥＤ１から尾部側端部ＥＤ２にわたって下側に凸の外形９１ｂを有している。第２の部分１ｂの外表面には、目を模したもの７１ｂや蓄光部７２ｂが現れている。
【００３２】
第１の部分１ａの平均比重および第２の部分１ｂの平均比重は、変動せず一定値である。第１の部分１ａの平均比重は、第２の部分１ｂの平均比重よりも常に小さい。平均比重とは、対象となる部分の全体の質量を対象となる部分の全体の体積で割った値である。対象となる部分は、一の材料よりなっていても複数の材料よりなっていてもよい。
【００３３】
なお、仮想面ＳＦから外形９１ａにおける仮想面ＳＦから最も離れた位置までの距離Ｄａは、仮想面ＳＦから外形９１ｂにおける仮想面ＳＦから最も離れた位置までの距離Ｄｂよりも小さいことが好ましい。環状部１２、目を模したもの７１ａおよび７１ｂ、ならびに蓄光部７２ａおよび７２ｂの各々は省略されてもよい。環状部１１には、さらに針が取り付けられていてもよい。ルアー１００は、環状部１１によって釣糸に対して直接的に固定されてもよい。
【００３４】
図４は、図１のＩＶ−ＩＶ線に沿った断面図である。なお、図４は、後述する直線ＬＮ３を法線とする断面図である。
【００３５】
図４を参照して、ルアー１００は、頭部側端部ＥＤ１から尾部側端部ＥＤ２にわたって略紡錘形の断面形状を有している。第１の部分１ａは、本体３１ａ（第１の本体の一例）と、被覆層３２ａ（第１の被覆層の一例）と、２つの浮力体３３ａ（第１の浮力体の一例）とを含んでいる。本体３１ａは、たとえば金属などの比較的比重の大きい材料よりなっている。本体３１ａは、その表面に２つの溝３４ａを含んでいる。２つの溝３４ａの各々の内部には、２つの浮力体３３ａの各々が設けられている。２つの浮力体３３ａは、本体３１ａの平均比重よりも小さい平均比重を有している。本体３１ａおよび浮力体３３ａの各々は、一の材料よりなっていてもよいし、複数の材料よりなっていてもよい。被覆層３２ａは、本体３１ａおよび２つの浮力体３３ａを被覆している。
【００３６】
第２の部分１ｂは、本体３１ｂと、被覆層３２ｂとを含んでいる。第２の部分１ｂは浮力体を含んでいない。本体３１ｂは、本体３１ａと一体的に形成されており、本体３１ａと同一の材料よりなっている。本体３１ａおよび本体３１ｂは、ルアー１００の最内核を構成している。被覆層３２ｂは、本体３１ｂを被覆している。本体３１ａおよび３１ｂは、複数の材料よりなっていてもよい。
【００３７】
図５は、本発明の第１の実施の形態のルアー１００において、本体３１ａを仮想面ＳＦの上側から見た場合の構成を示す上面図である。
【００３８】
図５を参照して、被覆層３２ａを除去して本体３１ａを上側から見た場合に、頭部側端部ＥＤ１と尾部側端部ＥＤ２とを結ぶ直線を直線ＬＮ３とする。２つの浮力体３３ａの各々は、直線ＬＮ３を挟む位置に設けられている。これにより、第１の部分１ａ全体に比較的均一な浮力を生じさせることができる。
【００３９】
２つの浮力体３３ａの各々は固体よりなっている。浮力体３３ａが特にエポキシ、ポリエステル、石膏、または炭酸カルシウムなどよりなる場合には、溝３４ａ内をこれらの材料のパテで埋めることにより、浮力体３３ａを溝３４ａ内に容易に設けることができる。浮力体３３ａが固体よりなる場合、浮力体３３ａは被覆層３２ａに被覆されず、外部に露出していてもよい。しかし、浮力体３３ａを外部に露出させず、第１の部分１ａの内部に埋め込むことで、海中での浮力体３３ａの消失を防止することができる。
【００４０】
また、より大きな浮力を発生させるという観点で、２つの浮力体３３ａの各々は空気や窒素などの気体であってもよいし、液体であってもよい。浮力体３３ａが気体や液体よりなる場合、被覆層３２ａは、溝３４ａ内の気密を保つ役割を果たす。
【００４１】
図６は、図１のＶＩ−ＶＩ線に沿った断面図である。
【００４２】
図６を参照して、ルアー１００の略中央部には、金属よりなる軸部分１４が固定されている。軸部分１４は、頭部側端部ＥＤ１を構成する環状部１１（頭部側環状部の一例）と、尾部側端部ＥＤ２を構成する環状部１２（尾部側環状部の一例）と、環状部１１と環状部１２とを直線状に接続する接続部分１３とを含んでいる。接続部分１３は、本体３１ａおよび３１ｂのうち少なくともいずれか一方の内部に埋め込まれている。軸部分１４を設けることにより、ルアー１００の曲げなどに対する強度を向上することができる。
【００４３】
なお、軸部分１４は、第１の部分１ａおよび第２の部分１ｂのうち少なくともいずれか一方に含まれればよく、仮想面ＳＦの上側または下側に偏った位置に設けられていてもよい。接続部分１３は曲線であってもよい。
【００４４】
図７は、図６のＣＫ１部およびＣＫ２部の拡大図である。なお、図７をＣＫ２部の拡大図として見る場合、図７は、ＣＫ２部を上下逆にして示す拡大図である。
【００４５】
図７を参照して、被覆層３２ａおよび３２ｂの各々は、ホログラムシール４１と、着色層４２と、シール４３と、ウレタン層４４とを含んでいる。
【００４６】
ホログラムシール４１は、海中で光を反射させるものである。ホログラムシール４１は、本体３１ａおよび３１ｂの表面を被覆している。なお、ホログラムシール４１と本体３１ａおよび３１ｂとの間にアルミシールが挿入されていてもよい。
【００４７】
着色層４２は、ルアー１００を所望の色に着色するものであり、水性塗料やアクリル塗料などよりなっている。ルアー１００は、時間帯、季節、またはターゲットなどに応じて異なる色に着色されたものが使用される。着色層４２は、ホログラムシール４１の表面に塗布されている。
【００４８】
シール４３は、着色層４２の表面の必要な位置に貼り付けられている。シール４３は、目を模したもの７１ａおよび７１ｂなどを構成する部分である。ルアー１００を暗い海底付近で使用する場合などを考慮して、シール４３は蓄光性を有していてもよい。
【００４９】
ウレタン層４４は、着色層４２およびシール４３の表面を被覆している。ウレタン層４４は、ウレタン層４４よりも内部への海水の浸入を防止し、ルアー本体に傷がつきにくくする役割を果たす。ウレタン層４４の代わりにまたはウレタン層４４とともに、エポキシやセルロースセメントなどの層が形成されていてもよい。
【００５０】
続いて、本実施の形態の効果について説明する。
【００５１】
図８は、ルアー１００の使用者がルアー１００を操作する場合のルアー１００の動きを模式的に示す図である。
【００５２】
図８を参照して、ここでは、ルアー１００の使用者が１ピッチ１ジャーク（ジャーク＆ストップ）を行う場合について説明する。始めに使用者は、ルアー１００を海中に投げ込む。これにより、ルアー１００は、矢印ＡＲ０で示すように海底ＢＴに接地する。次に使用者は、ロッドを上方に上げ、リールのハンドルを回転させる（ジャークする）。これにより、ルアー１００は、矢印ＡＲ１で示すように海面ＳＬに向かって上昇する。続いて使用者は、ロッドをわずかの間静止させる（ストップする）。これによりルアー１００は、矢印ＡＲ２で示すようにわずかに下降する。次に使用者は、再びジャークし、ルアー１００は、矢印ＡＲ３で示すように海面ＳＬに向かって上昇する。使用者は、必要に応じて上述のストップおよびジャークを繰り返す。使用者は、ルアー１００が海底ＢＴから十分な高さまで上昇した場合に、リールを緩め、ロッドを長い時間静止させる（ストップする）。これによりルアー１００は、海底ＢＴに向かって下降する。
【００５３】
ここで、ルアー１００において、第１の部分１ａの平均比重は第２の部分１ｂの平均比重よりも小さい。このため、第１の部分１ａには、第２の部分１ｂよりも大きな浮力が生じ、ルアー１００には不均一な浮力が生じる。これにより、ルアー１００は、鉛直方向には下降せずに、矢印ＡＲ４で示すように、海底ＢＴに向かって斜め下方向に緩やかに下降していく。このときの下降曲線は、第２の部分１ｂの外形９１ｂの曲面形状に依存する。この下降の際には、第１の部分１ａ（ルアー１００の左側線側）が上側を向き、第２の部分１ｂ（ルアー１００の右側線側）が下側を向いた状態となる。その結果、ルアー１００が下降している間のルアー１００の動きが自然になり、ルアー１００への魚の食いつきを向上することができる。
【００５４】
また、ルアー１００において、第１の部分１ａは、頭部側端部ＥＤ１から尾部側端部ＥＤ２にわたって上側に凸の外形９１ａを有しており、第２の部分１ｂは、頭部側端部ＥＤ１から尾部側端部ＥＤ２にわたって下側に凸の外形９１ｂを有している。これにより、ルアー１００は、頭部側端部ＥＤ１から尾部側端部ＥＤ２にわたって略紡錘形の断面形状となり、水の抵抗を受けにくくなる。これにより、ルアー１００の使用者は、特にルアー１００を上昇させる際（ジャークの際）などに、ルアー１００を容易に操作することができる。
【００５５】
［第２の実施の形態］
【００５６】
図９は、本発明の第２の実施の形態におけるルアー１００の一の構成を示す左側面図である。図１０は、本発明の第２の実施の形態におけるルアー１００の他の構成を示す左側面図である。
【００５７】
図９および図１０を参照して、本実施の形態におけるルアー１００は、ルアー１００の左端部側（背部側）から見た場合に線ＬＮ１が曲線である点において、第１の実施の形態の場合と異なっている。図９では、ルアー１００の左端部側から見た場合に線ＬＮ１はＳ字曲線の形状を有している。同様に、ルアー１００の右端部側（腹部側）から見た場合に、線ＬＮ２も線ＬＮ１と同様のＳ字曲線の形状を有していてもよい。図１０では、ルアー１００の左端部側から見た場合に線ＬＮ１は円弧の形状を有している。同様に、ルアー１００の右端部側から見た場合に線ＬＮ２も線ＬＮ１と同様の円弧の形状を有していてもよい。
【００５８】
なお、本実施の形態におけるルアー１００における上述以外の構成は、第１の実施の形態の場合の構成と同様であるため、同一の部材には同一の符号を付し、その説明は繰り返さない。
【００５９】
本実施の形態によれば、第１の実施の形態の場合と同様の効果を得ることができる。また、線ＬＮ１を曲線とすることで、水の抵抗を利用してルアー１００を不規則に動かすことができる。
【００６０】
［第３の実施の形態］
【００６１】
図１１は、本発明の第３の実施の形態におけるルアー１００の構成を示す断面図である。図１１は、図１のＩＶ−ＩＶ線に対応する切断線に沿った断面図である。
【００６２】
図１１を参照して、本実施の形態におけるルアー１００において、ルアー１００の水平方向の左端部（図１１中左端部）は、平面または弱い曲面にて構成されている。同様に、ルアー１００の水平方向の右端部（図１１中右端部）は、平面または弱い曲面にて構成されている。ルアー１００の水平方向の左端部が平面にて構成されている場合、左端部を構成する領域Ｒ１のうち上下方向の中間位置が、線ＬＮ１が通る位置として規定される。同様に、ルアー１００の水平方向の右端部が平面にて構成されている場合、右端部を構成する領域Ｒ２のうち上下方向の中間位置が、線ＬＮ２が通る位置として規定される。これにより、ルアー１００の水平方向の左端部または右端部が平面にて構成されている場合にも、仮想面ＳＦを規定することができる。
【００６３】
なお、本実施の形態におけるルアー１００における上述以外の構成は、第１の実施の形態の場合の構成と同様であるため、同一の部材には同一の符号を付し、その説明は繰り返さない。
【００６４】
［第４の実施の形態］
【００６５】
図１２は、本発明の第４の実施の形態のルアー１００において、本体３１ａを仮想面ＳＦの上側から見た場合の構成を示す上面図である。
【００６６】
図１２を参照して、本実施の形態のルアー１００において、第１の部分１ａが含む浮力体３３ａの数は１つである。被覆層３２ａを除去して本体３１ａを上側から見た場合に、本体３１ａの上面には、たとえば楕円形状を有する１つの溝３４ａが形成されており、溝３４ａの内部には浮力体３３ａが設けられている。
【００６７】
なお、本実施の形態におけるルアー１００における上述以外の構成は、第１の実施の形態の場合の構成と同様であるため、同一の部材には同一の符号を付し、その説明は繰り返さない。
【００６８】
本実施の形態によれば、第１の実施の形態の場合と同様の効果を得ることができる。また、浮力体３３ａが１つであるため、浮力体３３ａの形状および大きさの自由度を大きくすることができる。
【００６９】
［第５の実施の形態］
【００７０】
図１３は、本発明の第５の実施の形態におけるルアー１００の構成を示す上面図である。図１４は、図１３のＸＩＶ−ＸＩＶ線に沿った断面図である。
【００７１】
図１３および図１４を参照して、本実施の形態のルアー１００において、第１の部分１ａは、本体３１ａと、被覆層３２ａと、７つの浮力体３３ａとを含んでいる。第１の部分１ａの外表面には７つの溝３４ａが形成されている。７つの溝３４ａの各々は、被覆層３２ａおよび本体３１ａに形成されている。７つの溝３４ａの各々の内部には、７つの浮力体３３ａの各々が設けられている。７つの浮力体３３ａの各々は被覆層３２ａに被覆されず、外部に露出している。被覆層３２ａは、７つの浮力体３３ａが設けられている部分以外の本体３１ａを被覆している。
【００７２】
第２の部分１ｂは、本体３１ｂ（第２の本体の一例）と、被覆層３２ｂ（第２の被覆層の一例）と、７つの浮力体３３ｂ（第２の浮力体の一例）とを含んでいる。第２の部分１ｂの外表面には７つの溝３４ｂが形成されている。７つの溝３４ｂの各々は、７つの溝３４ａの各々と連通している。７つの溝３４ｂの各々は、被覆層３２ｂおよび本体３１ｂに形成されている。７つの溝３４ｂの各々の内部には、７つの浮力体３３ｂの各々が設けられている。浮力体３３ｂは、浮力体３３ａと同一の材料よりなっており、浮力体３３ａと一体化している。７つの浮力体３３ｂの各々は被覆層３２ａに被覆されず、外部に露出している。被覆層３２ｂは、７つの浮力体３３ｂが設けられている部分以外の本体３１ｂを被覆している。
【００７３】
溝３４ａおよび３４ｂで構成される溝は、第１の部分１ａの外表面と第２の部分１ｂの外表面とを貫通している。また、溝３４ａおよび３４ｂで構成される溝の径は、第１の部分１ａの外表面から第２の部分１ｂの外表面に向かうにつれて減少している。その結果、浮力体３３ｂ全体の体積は、浮力体３３ａ全体の体積よりも小さくなっている。
【００７４】
浮力体３３ａおよび３３ｂの各々が外部に露出する場合、浮力体３３ａおよび３３ｂの各々は、透過性の材料よりなることが好ましい。
【００７５】
なお、浮力体３３ａおよび３３ｂの各々の数は任意である。また、浮力体３３ａおよび３３ｂの各々は被覆層３２ａおよび３２ｂの各々に被覆されていてもよく、外部に露出していなくてもよい。浮力体３３ａおよび３３ｂの各々の位置および形状は任意である。
【００７６】
本実施の形態におけるルアー１００における上述以外の構成は、第１の実施の形態の場合の構成と同様であるため、同一の部材には同一の符号を付し、その説明は繰り返さない。
【００７７】
本実施の形態によれば、第１の実施の形態の場合と同様の効果を得ることができる。また、透過性の材料よりなる浮力体３３ａおよび３３ｂの各々が外部に露出するので、海中においてルアー１００の一方側から入射した光が、浮力体３３ａおよび３３ｂを透過してルアー１００の他方側へ抜ける。これにより、ルアー１００内部に光を導入することができ、魚を一層誘引することができる。
【００７８】
［第６の実施の形態］
【００７９】
図１５は、本発明の第６の実施の形態におけるルアー１００の構成を示す断面図である。図１５は、図１のＶＩ−ＶＩ線に対応する切断線に沿った断面図である。
【００８０】
図１５を参照して、第２の部分１ｂは、錘３５をさらに含んでいる。錘３５は本体３１ｂに固定されている。被覆層３２ｂは、本体３１ｂおよび錘３５を被覆している。錘３５は、本体３１ｂの平均比重よりも大きい平均比重を有している。
【００８１】
なお、錘３５は外部に露出していてもよく、被覆層３２ｂは、錘３５が設けられている部分以外の本体３１ｂを被覆していてもよい。
【００８２】
本実施の形態におけるルアー１００における上述以外の構成は、第１の実施の形態の場合の構成と同様であるため、同一の部材には同一の符号を付し、その説明は繰り返さない。
【００８３】
本実施の形態によれば、第１の実施の形態の場合と同様の効果を得ることができる。また、錘３５によって第２の部分１ｂに生じる浮力を低減することができる。これにより、第１の部分１ａと第２の部分１ｂとの平均比重の差を容易に調整することができ、ルアー１００の動きを容易に調節することができる。
【００８４】
［第７の実施の形態］
【００８５】
図１６は、本発明の第７の実施の形態におけるルアー１００の構成を示す右側面図である。図１７は、本発明の第７の実施の形態のルアー１００において、被覆層３２ａおよび３２ｂを除去した第１の部分１ａおよび第２の部分１ｂの構成を示す右側面図である。図１８は、図１６におけるＸＶＩＩＩ−ＸＶＩＩＩ線に沿った断面図である。
【００８６】
図１６〜図１８を参照して、本実施の形態におけるルアー１００は、釣糸からの引っ張り力を受けない状態で水中に存在する場合に、背部が上側を向き、腹部が下側を向く。
【００８７】
また本実施の形態では、線ＬＮ１は、頭部側端部ＥＤ１から尾部側端部ＥＤ２にかけてのルアー１００の背部を結ぶ線とは異なる線である。線ＬＮ１は、ルアー１００の左側線にほぼ相当する。同様に、本実施の形態では、線ＬＮ２は、頭部側端部ＥＤ１から尾部側端部ＥＤ２にかけてのルアー１００の腹部を結ぶ線とは異なる線である。線ＬＮ２は、ルアー１００の右側線にほぼ相当する。
【００８８】
ルアー１００は、第１の部分１ａと、第２の部分１ｂとを備えている。第１の部分１ａは、ルアー１００の背部を含む部分であり、仮想面ＳＦよりも上側に存在している。第１の部分１ａは、頭部側端部ＥＤ１から尾部側端部ＥＤ２にわたって上側に凸の外形９１ａを有している。第２の部分１ｂは、ルアー１００の腹線を含む部分であり、仮想面ＳＦよりも下側に存在している。第２の部分１ｂは、頭部側端部ＥＤ１から尾部側端部ＥＤ２にわたって下側に凸の外形９１ｂを有している。第１の部分１ａの平均比重は、第２の部分１ｂの平均比重よりも常に小さい。
【００８９】
第１の部分１ａは、本体３１ａと、被覆層３２ａと、浮力体３３ａとを含んでいる。本体３１ａは、たとえば金属などの比較的比重の大きい材料よりなっている。本体３１ａの表面には、本体３１ａの右側面から左側面を貫通する溝３４ａが形成されている。溝３４ａは、右側面側（図１７側）から見た場合に、線ＬＮ２に沿って延在している。溝３４ａの内部には浮力体３３ａが埋められている。浮力体３３ａは、本体３１ａの平均比重よりも小さい平均比重を有している。被覆層３２ａは、本体３１ａおよび浮力体３３ａを被覆している。なお、溝３４ａおよび浮力体３３ａは、本体３１ａ（本体３１ａおよび３１ｂを構成する鉛など）によって隔てられていてもよく、貫通していなくてもよい。
【００９０】
第２の部分１ｂは、本体３１ｂと、被覆層３２ｂとを含んでいる。第２の部分１ｂは浮力体を含んでいない。本体３１ｂは、本体３１ａと一体的に形成されており、本体３１ａと同一の材料よりなっている。本体３１ａおよび本体３１ｂは、ルアー１００の最内核を構成している。被覆層３２ｂは、本体３１ｂを被覆している。
【００９１】
本実施の形態におけるルアー１００における上述以外の構成は、第１の実施の形態の場合の構成と同様であるため、同一の部材には同一の符号を付し、その説明は繰り返さない。
【００９２】
本実施の形態によれば、第１の実施の形態の場合と同様の効果を得ることができる。また、背部が上側を向き、腹部が下側を浮いた状態でルアー１００を水中に存在させることができるので、水中でルアー１００をより自然な状態で動かすことができる。
【００９３】
［その他］
【００９４】
上述の実施の形態は、適宜組み合わせることができる。たとえば、第２の実施の形態のような線ＬＮ１およびＬＮ２が曲線である構成を、第３〜第７の実施の形態の各々に適用してもよい。また、第３の実施の形態のようなルアー１００の水平方向の左端部および右端部の各々が平面である構成を、第４〜第７の実施の形態の各々に適用してもよい。また、第４の実施の形態のような浮力体３３ａが１つである構成を、第５〜第７の実施の形態の各々に適用してもよい。また、第５の実施の形態のような第２の部分１ｂが浮力体３３ｂを含む構成を、第６および第７の実施の形態の各々に適用してもよい。第６の実施の形態のような第２の部分１ｂが錘３５を含む構成を、第７の実施の形態に適用してもよい。
【００９５】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１ａ  第１の部分
１ｂ  第２の部分
１１，１２  環状部
１３  接続部分
１４  軸部分
３１ａ，３１ｂ  本体
３２ａ，３２ｂ  被覆層
３３ａ，３３ｂ  浮力体
３４ａ，３４ｂ  溝
３５  錘
４１  ホログラムシール
４２  着色層
４３  シール
４４  ウレタン層
７１ａ，７１ｂ  目を模したもの
７２ａ，７２ｂ  蓄光部
９１ａ，９１ｂ  外形
１００  ルアー
２０１  スプリットリング
２０２  釣糸
２０３  針
ＡＲ０，ＡＲ１，ＡＲ２，ＡＲ３，ＡＲ４  ルアーの進行方向を示す矢印
ＢＴ  海底
Ｄａ，Ｄｂ  仮想面からの距離
ＥＤ１  頭部側端部
ＥＤ２  尾部側端部
ＬＮ１，ＬＮ２  線
ＬＮ３  直線
Ｒ１  左端部を構成する領域
Ｒ２  右端部を構成する領域
ＳＦ  仮想面
ＳＬ  海面
Ｕ  海中から海面へ向かう鉛直方向を示す矢印
【図１】
0006626653.tif 000002
【図２】
0006626653.tif 000003
【図３】
0006626653.tif 000004
【図４】
0006626653.tif 000005
【図５】
0006626653.tif 000006
【図６】
0006626653.tif 000007
【図７】
0006626653.tif 000008
【図８】
0006626653.tif 000009
【図９】
0006626653.tif 000010
【図１０】
0006626653.tif 000011
【図１１】
0006626653.tif 000012
【図１２】
0006626653.tif 000013
【図１３】
0006626653.tif 000014
【図１４】
0006626653.tif 000015
【図１５】
0006626653.tif 000016
【図１６】
0006626653.tif 000017
【図１７】
0006626653.tif 000018
【図１８】
0006626653.tif 000019